(57)【要約】      （修正有）【課題】異なる顔の大きさや目、鼻等の形状にも、それに合う最も美しく見える眉を整形できるメイクアップ用眉描き具を提供する。【解決手段】アーム２を枢支する基部３と、この基部に一端部が枢支され他端部が左右に開閉可能に搖動する一対のアームとを備えてなるメイクアップ用眉描き具１において、各アームは一側に眉描き用のテンプレート部６が設けられ、他側に眉頭乃至眉尻設定用のスケール部７を形成するとともに、前記基部に取り付け姿勢変更手段１５を介して柄４を取り付けて構成した。【選択図】図１
0003153780.tif 000002
【実用新案登録請求の範囲】
【請求項１】
アームを枢支する基部と、この基部に一端部が枢支され他端部が左右に開閉可能に搖動する一対のアームとを備えてなるメイクアップ用眉描き具において、各アームは一側に眉描き用のテンプレート部が設けられ、他側に眉頭乃至眉尻設定用のスケール部が形成されるとともに、前記基部に取り付け姿勢変更手段を介して柄が配設されていることを特徴とするメイクアップ用眉描き具。
【請求項２】
各アームに形成される眉描き用のテンプレート部の形状が左右で異ならせてあることを特徴とする請求項１に記載のメイクアップ用眉描き具。
【請求項３】
取り付け姿勢変更手段が、基部に枢支部を形成し、この枢支部に柄の一端が搖動可能に枢支され、柄の上下方向を切り替えることにより、眉描き用のテンプレート部と眉頭乃至眉尻設定用のスケール部を切り替えて使用可能に構成したことを特徴とする請求項１または請求項２に記載のメイクアップ用眉描き具。
【請求項４】
基部に柄を上向き姿勢または下向き姿勢のいずれかに着脱可能にする柄取り付け部を設けて取り付け姿勢変更手段を構成したことを特徴とする請求項１または請求項２に記載のメイクアップ用眉描き具。
【考案の詳細な説明】
【背景技術】
【０００１】
本考案は、メイクアップ用眉描き具に関するものである。
【０００２】
従来、眉型を顔に似合うように整形する場合は、眉墨あるいはアイブローペンシル等で、自分が鏡を見ながら眉を描くか、または鋏、剃刃等を用いて眉毛の整形をするか、あるいは美容師等の専門家によって整形や眉を描いてもらうのが一般的であった。
以下、本考案では鋏、剃刃等を用いて眉毛の整形ならびに眉を描く整形を含めて眉毛の整形あるいは眉毛を整形するという。
【０００３】
ところが、美しいといわれる眉毛の整形は方法としては、特許文献１に開示されているように、眉頭・眉山・眉尻のそれぞれの位置の割り出しが決められている。
こうした眉頭・眉山・眉尻のそれぞれの位置の割り出しとその位置に沿って正確に眉を自分自身で書く場合、鏡を見ながら行わなくてはならず、技術的に難しく、眉の整形が正確に、しかも短時間にできないという問題点がある。
一方、専門家による整形は時間と経費がかかるという問題点があった。
【０００４】
そこでこうした問題点に対応するために特許文献２に開示されているように、基本的な眉の形状をしたテンプレートを当て、このテンプレートの形状に従って眉の整形を行うようにしたものも提案されている。
ところが、人の顔はその大きさや目、鼻等の形状が千差万別であるにもかかわらず、上記の画一的なテンプレートでの眉の整形では個々人にマッチした形状の眉を整形することができないという問題があった。
【先行技術文献】
【特許文献】
【０００５】
【特許文献１】特開２００５−３１９３０９号公報
【特許文献２】特開２００４−２３６９６９号公報
【考案の開示】
【考案が解決しようとする課題】
【０００６】
本考案は上記問題点に鑑み提案されたもので、異なる顔の大きさや目、鼻等の形状にも、それに合う最も美しく見える眉を整形できるメイクアップ用眉描き具を提供できるようにすることを目的とするものである。
【課題を解決するための手段】
【０００７】
上記目的を達成するために本考案にかかるメイクアップ用眉描き具は、アームを枢支する基部と、この基部に一端部が枢支され他端部が左右に開閉可能に搖動する一対のアームとを備えてなるメイクアップ用眉描き具において、各アームは一側に眉描き用のテンプレート部が設けられ、他側に眉頭乃至眉尻設定用のスケール部が形成されるとともに、前記基部に取り付け姿勢変更手段を介して柄が配設されていることを最も主要な特徴とするものである。
【０００８】
本考案にかかるメイクアップ用眉描き具では、各アームに形成される眉描き用のテンプレート部の形状が左右で異ならせてあることや、取り付け姿勢変更手段が、基部に枢支部を形成し、この枢支部に柄の一端が搖動可能に枢支され、柄の上下方向を切り替えることにより、眉描き用のテンプレート部と眉頭乃至眉尻設定用のスケール部を切り替えて使用可能に構成したこと、さらには、基部に柄を上向き姿勢または下向き姿勢のいずれかに着脱可能にする柄取り付け部を設けて取り付け姿勢変更手段を構成したことも特徴とするものである。
【考案の効果】
【０００９】
以上詳述したように、本考案のメイクアップ用眉描き具によれば、アームを枢支する基部と、この基部に一端部が枢支され他端部が左右に開閉可能に搖動する一対のアームとを備えてなるメイクアップ用眉描き具において、各アームは一側に眉描き用のテンプレート部が設けられ、他側に眉頭乃至眉尻設定用のスケール部が形成されるとともに、前記基部に取り付け姿勢変更手段を介して柄が配設されているので、眉頭乃至眉尻設定用のスケール部でその人に合った眉頭及び眉尻の位置を簡単に設定することができ、柄の位置を変更して設定された眉頭及び眉尻の位置に眉描き用のテンプレート部をあわせて眉の整形を行えば、誰でも簡単にその人のあった最も綺麗に見える眉を描くことができる利点がある。
【００１０】
また、各アームに形成される眉描き用のテンプレート部の形状が左右で異ならせたものでは、上記効果に加えて雰囲気や気分乃至好みに合わせた眉の形状を簡単に描くことができる利点もある。
【００１１】
さらに、取り付け姿勢変更手段が、基部に枢支部を形成し、この枢支部に柄の一端が搖動可能に枢支され、この柄の上下方向を切り替えることにより、眉描き用のテンプレート部と眉頭乃至眉尻設定用のスケール部を切り替えて使用可能に構成したものでは、柄を搖動するだけで眉頭乃至眉尻設定用のスケール部と眉描き用のテンプレート部との切り替えが簡単に行え、メイクアップ用眉描き具を至便なものにすることができる利点がある。
【００１２】
加えて、基部に柄を上向き姿勢または下向き姿勢のいずれかに着脱可能にする柄取り付け部を設けて取り付け姿勢変更手段を構成したものでは、不使用時には柄を分離してコンパクトに収納することができるとともに、柄の長さや大きさを好みのものにすることができ、メイクアップ用眉描き具をいっそう使いやすいものにすることができる利点もある。
【図面の簡単な説明】
【００１３】
【図１】は本考案にかかるメイクアップ用眉描き具の正面図である。
【図２】は本考案にかかるメイクアップ用眉描き具の側面図である。
【図３】は本考案にかかるメイクアップ用眉描き具の使用手順の正面図である。
【図４】は本考案にかかるメイクアップ用眉描き具のアームを開いて使用する手順を示す正面図である。
【図５】は本考案にかかるメイクアップ用眉描き具の取り付け姿勢変更手段部分を変形した変形例１のメイクアップ用眉描き具の正面図である。
【図６】は本考案にかかるメイクアップ用眉描き具の変形例１の取り付け姿勢変更手段部かかるメイクアップ用眉描き具の変形例１の取り付け姿勢変更手段部分の正面図である。
【図７】は本考案にかかるメイクアップ用眉描き具の取り付け姿勢変更手段部分を変形した変形例２のメイクアップ用眉描き具の正面図である。
【図８】は本考案にかかるメイクアップ用眉描き具の変形例２の取り付け姿勢変更手段部分の正面図である。
【図９】は本考案にかかるメイクアップ用眉描き具の取り付け姿勢変更手段部分を変形した変形例３のメイクアップ用眉描き具の正面図である。
【図１０】は本考案にかかるメイクアップ用眉描き具の変形例３の取り付け姿勢変更手段部分の正面図である。
【図１１】は本考案にかかるメイクアップ用眉描き具の取り付け姿勢変更手段部分を変形した変形例４のメイクアップ用眉描き具の正面図である。
【図１２】は本考案にかかるメイクアップ用眉描き具の変形例４の取り付け姿勢変更手段部分の正面図である。
【図１３】は本考案にかかるメイクアップ用眉描き具の取り付け姿勢変更手段部分を変形した変形例５のメイクアップ用眉描き具の正面図である。
【図１４】は本考案にかかるメイクアップ用眉描き具の取り付け姿勢変更手段部分の変形例５の正面図である。
【図１５】は本考案にかかるメイクアップ用眉描き具の取り付け姿勢変更手段部分を変形した変形例６のメイクアップ用眉描き具の正面図である。
【図１６】は本考案にかかるメイクアップ用眉描き具の取り付け姿勢変更手段部分の変形例６の正面図である。
【考案を実施するための形態】
【００１４】
以下、本考案にかかるメイクアップ用眉描き具の好ましい実施の形態を図面に基づいて説明する。
【実施例】
【００１５】
図１は本考案にかかるメイクアップ用マユ描き具の正面図、図２はその側面図であって、図中符号１はこのメイクアップ用マユ描き具（以下単にマユ描き具という）を全体的に示す。
このマユ描き具１は、アーム２・２を枢支する基部３と、この基部３に一端部が枢支され他端部が左右に開閉可能に搖動する左右一対のアーム２・２と、基部に取り付け姿勢変更手段を介して取り付けられた柄４とを備えてなる。
【００１６】
上記左右一対のアーム２・２のそれぞれは、可撓性を有する合成樹脂でスティック状に形成され、図上下部には後述する基部３に枢支される回動枢支部５が形成されるとともに、一側に眉描き用のテンプレート部６が設けられ、他側には直線状の眉頭乃至眉尻設定用のスケール部７が形成されている。
前記回動枢支部５は、直線状の眉頭乃至眉尻設定用のスケール部７から偏寄した位置に枢支孔８が形成されるとともに、この枢支孔８の周囲に、左右一対のアーム２・２が基部３に枢着されたとき互いに噛み合う歯９が形成されて構成されている。
【００１７】
上記眉描き用のテンプレート部６はその形状を、眉山部分１０の高さを左右のアーム２・２で異なるように形成されている。
そして、各アーム２・２の先端部分は、正面視で楕円形に形成し、当該部分に肌が接触した時にも傷つくことがないようになっている。
尚、上記アーム２・２は、本例では可撓性を有する合成樹脂で形成してあるが、紙シート、薄金属板等適宜の材料をもって形成することも可能であるが、本例のように合成樹脂で形成される場合は、透明、半透明、不透明等いずれでもよい
【００１８】
上記基部３は、前後一対のプレート１１・１１と、このプレート１１・１１の左右に設けられた支持軸１２・１２とを備え、各支持軸１２・１２の夫々には前記アーム２・２が枢支されている。
斯くして枢支軸１２に枢支されて図１のように上方で対峙するように揃えられると、その間に鼻１３を位置させる空間１４が形成される（図１及び図３参照）。
また、前方のプレートの前面部分には、柄を取り付ける取り付け姿勢変更手段が設けられている。
【００１９】
取り付け姿勢変更手段１５は、左右に板状の枢支用ブラケット１６・１６を立設し、この両枢支用ブラケット１６・１６に渡って貫通させて設けられた枢支軸１７に柄４の上端部分が枢支され、この柄４の上端とこれに当接する枢支用ブラケット１６・１６の側面との間の摩擦や枢支軸１７とこれに枢支された柄４の上端部分との摩擦により、柄４が枢支軸１７を回動中心として回動操作が可能で、その位置保持が行えるようになっている。
【００２０】
上記のように構成された眉描き具１を使用して眉を描く手順を次に説明する。ここでは、片方の眉を描く手順を説明する。
先ず、図１に示すように、左右のアーム２・２を上方で略平行に揃えた状態にし、図３の２点鎖線図で示すように、アーム２・２間の鼻１３を位置させる空間１４に鼻１３が来るように柄４を手に持って眉描き具１をあてがう。
このとき、眉頭乃至眉尻設定用のスケール部７が垂直で、目頭１８の位置に合致するようにすると、その上方で本人の眉若しくはその延長線（例えば左右の眉頭同士を結ぶ線）とが交差する点が眉頭の位置となるのでここに眉頭マークSつける。
【００２１】
次に、図４に示すように、眉描き具１のアーム２・２を左右に開き、図３中に１点鎖線図で示すように直線状の眉頭乃至眉尻設定用のスケール部７が小鼻１９と目尻２０とを結ぶ線上にくるように眉描き具１を当てる。
当てられた眉描き具１の眉頭乃至眉尻設定用のスケール部７と本人の眉若しくはその延長線とが交差する点が眉尻となりここに眉尻マークEを付す。
【００２２】
そして、眉描き具１のアーム２・２を左右に略水平に開き、取り付け姿勢変更手段１５の枢支軸１７を回動中心として柄４を図１の下にある位置から、図４の２点鎖線で示すように、上方の位置に揺動させた後、その柄４を下方にして手に持つと、左右に開いた眉描き具１のアーム２・２は、眉描き用のテンプレート部６が上に、眉頭乃至眉尻設定用のスケール部７が下になるように上下が反転した状態になる。
この状態でこれから描こうとする眉の形状を左右いずれかの眉描き用のテンプレート部６から選択する。
【００２３】
斯くして選択された眉描き用のテンプレート部６を、図３の点線図で示すように、上記した眉頭マークSと、眉尻マークEとに合わせ、片手で柄４を掴んでこの状態を維持し、他方の手でアイブローペンシルやアイライナー等の筆記具を眉描き用のテンプレート部６の眉形状に沿って眉頭マークSから眉尻マークEまで線を引くと、此処に個々人にマッチした形状の眉を整形するための基本ラインが形成される。
上記のようにして形成された基本ラインに、好みに合わせた色や太さ（眉の幅）にすることにより、個性的でかつ美しい眉の整形が完了する。
【００２４】
尚、上記実施の形態では、基部３の回動枢支部５に枢支される左右一対のアーム２・２の下端部に歯９を設けて嵌合させることにより左右のアーム２・２が同時に開閉するようにしてあるがこうしたものに限られず、アーム２・２とこれを枢支する回動枢支部５との摩擦によってアーム２・２の開閉姿勢を保持することもできる。
因みに、図示は省略したが、柄４の形状は、持ちやすい形状であればいずれの形状であってもよいことはいうまでもないことである。
【００２５】
また、図４乃至図１６はそれぞれ柄を反転可能にするための取り付け姿勢変更手段１５の変形例１〜６を示すもので、取り付け姿勢変更手段以外は上記実施例と同様であるので、変形した部分のみ説明する。
【００２６】
図５及び図６は取り付け姿勢変更手段１５の変形例１を示すもので、柄４の上端部分に枢支軸２１を左右に突出させ、この枢支軸２１を基部３に形成させた枢支用ブラケット２５に受けさせることにより、柄４を上下に揺動可能にして取り付け姿勢変更手段１５を形成するようにしたものである。
【００２７】
図７及び図８は取り付け姿勢変更手段１５の変形例２を示すもので、柄４の上端部分に円盤状の回動板２２を設け、この回動板２２を基部３に回動可能に保持させることにより、柄４をアーム２・２の開閉揺動と同じ平面で回動させて柄４の位置を上下切り替えられるようにして柄４の取り付け姿勢変更手段１５を形成するようにしたものである。
【００２８】
図９及び図１０は取り付け姿勢変更手段１５の変形例３を示すもので、基部３に上下が開口する平面視においてC型の受け部２３を形成し、このC形の受け部２３に柄４の差し込む方向を替えることにより柄４の位置を上下切り替えられるようにして柄４の取り付け姿勢変更手段１５を形成するようにしたものである。尚、図中符号２５はストッパーである。
【００２９】
図１１及び図１２は取り付け姿勢変更手段１５の変形例４を示すもので、基部３に正面視において略矩形の柄の受け部２４を突出形成し、この受け部２４の上下の各面に左右一対の嵌合孔２５を穿設する。
一方、柄４の上端には前記嵌合穴２５に嵌合する２つの突起２６を形成し、柄４の突起２６を嵌合穴２５に差し込む方向を替えることにより柄４の位置を上下切り替えられるようにして柄４の取り付け姿勢変更手段１５を形成するようにしたものである。
【００３０】
図１３及び図１４は取り付け姿勢変更手段１５の変形例５を示すもので、基部３に正面視において略矩形の柄４の受け部２４を突出形成するようにした点は上記図１１及び図１２と同様であるが、上記の例における受け部２４に形成される上下の各面に設けられる嵌合孔２５を螺子孔２７にする。
柄４の上端には螺子孔２７に螺合する螺子部２８を突出形成し、柄の螺子部２８の螺子孔２７への取り付け方向を替えることにより柄４の位置を上下切り替えられるようにして柄の取り付け姿勢変更手段１５を形成するようにしたものである。
【００３１】
図１５及び図１６は取り付け姿勢変更手段１５の変形例６を示すもので、基部３に正面視において略矩形の柄４の受け部２４を突出形成するとともに、受け部２４の左右の各側面の略中央部に枢支用凹部２９を形成するとともに、柄４の上端部分を前記受け部を外方から抱持する二股状にし、この二股状部分３０の内面に前記枢支用凹部２９に嵌合する突起３１を形成して、取り付け姿勢変更手段１５を形成するようにしたものである。
本例では図１や図４の柄４と同様に柄４を回動させることにより柄４の位置を上下切り替えられるようにしたものである。
【符号の説明】
【００３２】
１・・・メイクアップ用眉描き具
２・・・アーム
３・・・基部
４・・・柄
５・・・回動枢支部
６・・・テンププレート部
７・・・スケール部
８・・・枢支孔
９・・・歯
１０・・・眉山部分
１３・・・鼻
１４・・・空間
１５・・・取り付け姿勢変更手段
１８・・・目頭
１９・・・小鼻
２０・・・眉尻
S・・・眉頭
E・・・眉尻
【図１】
0003153780.tif 000003
【図２】
0003153780.tif 000004
【図３】
0003153780.tif 000005
【図４】
0003153780.tif 000006
【図５】
0003153780.tif 000007
【図６】
0003153780.tif 000008
【図７】
0003153780.tif 000009
【図８】
0003153780.tif 000010
【図９】
0003153780.tif 000011
【図１０】
0003153780.tif 000012
【図１１】
0003153780.tif 000013
【図１２】
0003153780.tif 000014
【図１３】
0003153780.tif 000015
【図１４】
0003153780.tif 000016
【図１５】
0003153780.tif 000017
【図１６】
0003153780.tif 000018